(57)【特許請求の範囲】
【請求項１】
互いに絶縁された複数の層を持つ基板であって、
前記複数の層それぞれに設けられた信号線と、
前記基板と他の基板とを往復し、前記複数の層のうちの１つから他の層へ向けて折れ曲がることにより、前記１つの層および前記他の層の両方を通過する、断線を検知するためのダミー線と、
を備える基板。
【請求項２】
前記複数の層それぞれに設けられた信号線は、異なる機能ブロックに接続する、
請求項１記載の基板。
【請求項３】
前記ダミー線は、複数回折れ曲がることにより、前記複数の層全てを通過する、
請求項１記載の基板。
【請求項４】
前記基板は、フレキシブルプリント基板である、
請求項１記載の基板。
【請求項５】
第１の筐体と、
前記第１の筐体に設けられ、互いに絶縁された複数の層を持つ第１の基板と、
前記第１の筐体と接続される第２の筐体と、
前記第２の筐体に設けられ、互いに絶縁された複数の層を持つ第２の基板と、
前記第１の基板及び前記第２の基板の複数の層それぞれに設けられた信号線と、
前記第１の基板と前記第２の基板とを往復し、前記第１の基板または前記第２の基板の複数の層のうちの１つから他の層へ向けて折れ曲がることにより、前記１つの層および前記他の層の両方を通過するダミー線と、
前記ダミー線の断線を検知する断線検知部と、
前記断線検知部により前記ダミー線の断線を検知した際に警告する警告部と、
を備える携帯端末装置。
【発明の詳細な説明】
【技術分野】
【０００１】
本発明は、基板及び携帯端末装置に関する。
【背景技術】
【０００２】
近年は、複数の筐体をヒンジ部を介して開閉自在に接続する折り畳み式等の携帯端末装置が主流である。このような携帯端末装置では、筐体内における各機能ブロックの最適な配置、及び各機能ブロックを動作させる制御回路の集積化等のため、各機能ブロック及び制御回路は複数の筐体に渡って配置されることが多い。このため、種々の信号を筐体間において伝送する必要が生じ、各筐体に配置される回路基板間を接続する信号線及び電源供給線が設けられる。このような信号線を設けた開閉機構を有する携帯端末装置では、開閉に伴い可動する箇所において、信号線または電源供給線の断線が生じやすいという問題がある。従って、信号線または電源供給線の断線の恐れがあることを検出して報知することは、突然の故障または突然の動作不良を未然に防ぐためには重要である。
【０００３】
また、従来、信号線の断線の恐れがあることを検出して報知するものが知られている（例えば、特許文献１）。特許文献１は、フレキシブルプリント（以下「ＦＰＣ」と記載する）基板の剥離、または内部配線の断線を検出し、その結果を液晶表示装置により報知するものである。具体的には、液晶パネルと液晶ドライバ基板との間に配設したＦＰＣ基板において、制御信号ラインとは別に、剥離または断線を検知する２本の検知用ラインを形成する。そして、特許文献１では、２本の検知用ラインの電圧値を各々論理和することにより断線を検出し、液晶パネルに警告情報を表示する。このように、特許文献１は、表示機能ブロックとしての液晶パネルと液晶ドライバとを接続する制御信号ラインの断線を検出して報知する。
【先行技術文献】
【特許文献】
【０００４】
【特許文献１】特開２００８−１５２８７号公報
【発明の概要】
【発明が解決しようとする課題】
【０００５】
しかしながら、特許文献１においては、１つの機能ブロックの断線を検出するものであり、複数の機能ブロック毎に断線を検出しようとすると、機能ブロックの数だけ特許文献１に示す断線検知回路を設ける必要がある。従って、特許文献１においては、断線を検知する回路が複雑になるとともに断線の検知処理に伴う処理負荷が増大するという問題がある。
【０００６】
本発明の目的は、複数の機能ブロック毎に断線を検出することができるとともに、回路構成を簡単にすることができ、断線の検知処理に伴う処理負荷を抑制することができる基板及び携帯端末装置を提供することである。
【課題を解決するための手段】
【０００７】
本発明の基板は、互いに絶縁された複数の層を持つ基板であって、前記複数の層それぞれに設けられた信号線と、前記基板と他の基板とを往復し、前記複数の層のうちの１つから他の層へ向けて折れ曲がることにより、前記１つの層および前記他の層の両方を通過する、断線を検知するためのダミー線と、を備える構成を採る。
本発明の携帯端末装置は、第１の筐体と、前記第１の筐体に設けられ、互いに絶縁された複数の層を持つ第１の基板と、前記第１の筐体と接続される第２の筐体と、前記第２の筐体に設けられ、互いに絶縁された複数の層を持つ第２の基板と、前記第１の基板及び前記第２の基板の複数の層それぞれに設けられた信号線と、前記第１の基板と前記第２の基板とを往復し、前記第１の基板または前記第２の基板の複数の層のうちの１つから他の層へ向けて折れ曲がることにより、前記１つの層および前記他の層の両方を通過するダミー線と、前記ダミー線の断線を検知する断線検知部と、前記断線検知部により前記ダミー線の断線を検知した際に警告する警告部と、を備える構成を採る。
【発明の効果】
【０００８】
本発明によれば、複数の機能ブロック毎に断線を検出することができるとともに、回路構成を簡単にすることができ、断線の検知処理に伴う処理負荷を抑制することができる。
【図面の簡単な説明】
【０００９】
【図１】本発明の実施の形態１に係る携帯端末装置の開いた状態の斜視図
【図２】本発明の実施の形態１に係る携帯端末装置の開いた状態の平面図
【図３】本発明の実施の形態１に係る携帯端末装置の要部の平面図
【図４】本発明の実施の形態１に係るＦＰＣ基板の側面図
【図５】本発明の実施の形態２に係る携帯端末装置の要部の平面図
【図６】本発明の実施の形態３に係る携帯端末装置の要部の平面図
【発明を実施するための形態】
【００１０】
以下、本発明の実施の形態について、図面を参照して詳細に説明する。
【００１１】
（実施の形態１）
図１は、本発明の実施の形態１に係る携帯端末装置１００の開いた状態の斜視図である。また、図２は、携帯端末装置１００の開いた状態の平面図である。
【００１２】
図１に示すように、携帯端末装置１００は、第１の筐体１０１と、第２の筐体１０２と、ヒンジ部１０３とから主に構成される。
【００１３】
また、第１の筐体１０１は、操作部１１０と、第１の回路基板２０１と、コネクタ２０４とを有する。また、第２の筐体１０２は、表示部１２０と、第２の回路基板２０２と、コネクタ２０５とを有する。以下に、各構成について、詳細に説明する。
【００１４】
第１の筐体１０１は、略箱形であり、第２の筐体１０２に対してヒンジ部１０３を介してＸ１またはＸ２（図１参照）方向に回転自在に第２の筐体１０２と接続する。また、第１の筐体１０１は、第１の回路基板２０１を内部に有する。また、第１の筐体１０１は、ユーザにより操作されてメールの送受信、またはデジタルテレビ放送の視聴等を可能にする操作部１１０を有する。
【００１５】
第２の筐体１０２は、略箱形であり、第１の筐体１０１に対してヒンジ部１０３を介してＸ１またはＸ２方向に回転自在に第１の筐体１０１と接続する。また、第２の筐体１０２は、第２の回路基板２０２を内部に有する。また、第２の筐体１０２は、操作部１１０により入力された文字等、または携帯端末装置１００が受信したデジタルテレビ放送の画像等を表示する表示部１２０を有する。
【００１６】
ヒンジ部１０３は、第１の筐体１０１と第２の筐体１０２とを互いにＸ１またはＸ２方向に回転自在に接続する。また、ヒンジ部１０３は、内部にＦＰＣ基板２０３を有する。
【００１７】
第１の回路基板２０１は、ＦＰＣ基板２０３と接続するコネクタ２０４を有する。第１の回路基板２０１は、コネクタ２０４と、ＦＰＣ基板２０３と、コネクタ２０５とを介して、第２の回路基板２０２と電気的に接続される。なお、第１の回路基板２０１における回路構成の説明は後述する。
【００１８】
第２の回路基板２０２は、ＦＰＣ基板２０３と接続するコネクタ２０５を有する。第２の回路基板２０２は、コネクタ２０５と、ＦＰＣ基板２０３と、コネクタ２０４とを介して第１の回路基板２０１と電気的に接続する。なお、第１の回路基板２０１と、第２の回路基板２０２と、ＦＰＣ基板２０３とは各々別体である場合に限らず、第１の回路基板２０１とＦＰＣ基板２０３とを一体に形成し、第２の回路基板２０２とＦＰＣ基板２０３とを別体に形成してもよい。また、第１の回路基板２０１とＦＰＣ基板２０３とを別体に形成し、第２の回路基板２０２とＦＰＣ基板２０３とを一体に形成してもよい。この際、第１の回路基板２０１とＦＰＣ基板２０３とを一体に形成した場合には、コネクタ２０４を不要にすることができる。また、第２の回路基板２０２とＦＰＣ基板２０３とを一体に形成した場合には、コネクタ２０５を不要にすることができる。
【００１９】
次に、携帯端末装置１００の要部の構成について、図３を用いて詳細に説明する。図３は、携帯端末装置１００の要部の平面図である。なお、図３において、図１及び図２と同一構成である部分には同一の符号を付して、その説明を省略する。また、図３において、第１の筐体１０１と、第２の筐体１０２と、ヒンジ部１０３の記載は、説明の便宜上省略する。
【００２０】
第１の回路基板２０１は、回路部３０１を有する。また、第１の回路基板２０１は、第１の信号線３０２と、第１のダミー線３０３とが印刷形成される。また、第１の回路基板２０１は、第２の信号線３０４と、第２のダミー線３０５とが印刷形成される。また、第１の回路基板２０１は、抵抗３０６及び抵抗３０７を有する。
【００２１】
第２の回路基板２０２は、第１の信号線３０２及び第２の信号線３０４が印刷形成される。また、第２の回路基板２０２は、第１のダミー線３０３及び第２のダミー線３０５が印刷形成される。また、第２の回路基板２０２は、図示しない複数の異なる機能ブロックを有する。なお、第１の信号線３０２と、第１のダミー線３０３と、第２の信号線３０４と、第２のダミー線３０５とは、印刷形成する場合に限らず、第２の回路基板２０２と別体に形成してもよいし、任意の方法により形成することができる。ここで、機能ブロックとは、例えば、カメラ、ＩｒＤＡ、またはＬＣＤを動作させるのに必要な電子部品により構成される。
【００２２】
ＦＰＣ基板２０３は、可撓性を有する材料により形成される。また、ＦＰＣ基板２０３は、第１の信号線３０２と、第１のダミー線３０３と、第２の信号線３０４と、第２のダミー線３０５とが形成される。また、ＦＰＣ基板２０３は、第１の信号線３０２と、第１のダミー線３０３と、第２の信号線３０４と、第２のダミー線３０５とを、互いに絶縁するとともに外部から絶縁する絶縁部が設けられる。
【００２３】
回路部３０１は、第１の信号線３０２と、第１のダミー線３０３と、第２の信号線３０４と、第２のダミー線３０５とに電気的に接続する。また、回路部３０１は、第１の信号線３０２及び第２の信号線３０４の接続先の機能ブロックに電源を供給する。また、回路部３０１は、第１の信号線３０２及び第２の信号線３０４の接続先の機能ブロックの動作を制御するための制御信号を第１の信号線３０２及び第２の信号線３０４に出力する。また、回路部３０１は、第１のダミー線３０３及び第２のダミー線３０５に一定の電流を供給する定電流源を有する。また、回路部３０１は、第１のダミー線３０３及び第２のダミー線３０５の断線を検出する。なお、断線を検出する方法については後述する。
【００２４】
第１の信号線３０２は、回路部３０１と第２の筐体１０２に設けた図示しない機能ブロックとを接続する。また、第１の信号線３０２は、第１の回路基板２０１において印刷形成され、ヒンジ部１０３においてＦＰＣ基板２０３に形成されるとともに、第２の回路基板２０２において印刷形成される。また、第１の信号線３０２は、第１の回路基板２０１と、ＦＰＣ基板２０３と、第２の回路基板２０２とにおいて、連続する１本の信号線として形成される。
【００２５】
第１のダミー線３０３は、一端が回路部３０１と電気的に接続する。また、第１のダミー線３０３は、回路部３０１と接続する一端から第２の筐体１０２方向に延設されるとともに、第１の回路基板２０１と第２の回路基板２０２との間を往復して、他端が抵抗３０６を介して第１の回路基板２０１のグランド部に接地される。また、第１のダミー線３０３は、第１の信号線３０２の左右外側に設けられる。ここで、第１の信号線３０２の左右外側とは、図３において第１の信号線３０２の上側と下側を意味する。また、第１のダミー線３０３は、第２の回路基板２０２において折り返し部３０３ａを有する。また、第１のダミー線３０３は、第１の回路基板２０１と、ＦＰＣ基板２０３と、第２の回路基板２０２とにおいて、連続する１本のダミー線として形成される。
【００２６】
第２の信号線３０４は、回路部３０１と第２の筐体１０２に設けた図示しない機能ブロックとを接続する。また、第１の信号線３０２は、第１の回路基板２０１において印刷形成され、ヒンジ部１０３においてＦＰＣ基板２０３に形成されるとともに、第２の回路基板２０２において印刷形成される。また、第２の信号線３０４は、第１の回路基板２０１と、ＦＰＣ基板２０３と、第２の回路基板２０２とにおいて、連続する１本の信号線として形成される。
【００２７】
第２のダミー線３０５は、一端が回路部３０１と電気的に接続する。また、第２のダミー線３０５は、回路部３０１と接続する一端から第２の筐体１０２方向に延設されるとともに、第１の回路基板２０１と第２の回路基板２０２との間を往復して、他端が抵抗３０７を介して第１の回路基板２０１のグランド部に接地される。また、第２のダミー線３０５は、第２の信号線３０４の左右外側に設けられる。ここで、第２の信号線３０４の左右外側とは、図３において第２の信号線３０４の上側と下側を意味する。また、第２のダミー線３０５は、第２の回路基板２０２において折り返し部３０５ａを有する。また、第２のダミー線３０５は、第１の回路基板２０１と、ＦＰＣ基板２０３と、第２の回路基板２０２とにおいて、連続する１本のダミー線として形成される。
【００２８】
次に、ＦＰＣ基板２０３の構成について、図４を用いて説明する。図４は、ＦＰＣ基板２０３の側面図である。
【００２９】
ＦＰＣ基板２０３は、図４に示すように、多層構造を有する。具体的には、ＦＰＣ基板２０３は、第１層Ｌ１と、第２層Ｌ２と、第３層Ｌ３と、第４層Ｌ４との４層構造を有する。また、第１層Ｌ１と第２層Ｌ２との間、第２層Ｌ２と第３層Ｌ３との間、及び第３層Ｌ３と第４層Ｌ４との間は、図示しない絶縁部によって互いに絶縁される。また、第１のダミー線３０３は、第１層Ｌ１において第１の回路基板２０１側から第２の回路基板２０２側の方向へ延設される。また、第１のダミー線３０３は、第１層Ｌ１の途中で下方に折り曲げられるとともに、第２層Ｌ２において第１の回路基板２０１側に折り曲げられることにより、第２層Ｌ２において第２の回路基板２０２側から第１の回路基板２０１側に延設される。また、第１のダミー線３０３は、第２層Ｌ２の途中で下方に折り曲げられるとともに、第３層Ｌ３において第２の回路基板２０２側に折り曲げられることにより、第３層Ｌ３において第１の回路基板２０１側から第２の回路基板２０２側に延設される。また、第１のダミー線３０３は、第３層Ｌ３の途中で下方に折り曲げられるとともに、第４層Ｌ４において第１の回路基板２０１側に折り曲げられることにより、第４層Ｌ４において第２の回路基板２０２側から第１の回路基板２０１側に延設される。また、第１層Ｌ１に形成した第１のダミー線３０３と第２層Ｌ２に形成した第１のダミー線３０３とを、第１の信号線３０２の左右外側になるように配置する。または、第３層Ｌ３に形成した第１のダミー線３０３と第４層Ｌ４に形成した第１のダミー線３０３とを、第１の信号線３０２の左右外側になるように配置する。このように、第１のダミー線３０３は、第１の回路基板２０１と第２の回路基板２０２との間を往復し、第１層Ｌ１から第４層Ｌ４まで１本の連続したダミー線として形成される。なお、ＦＰＣ基板２０３の層は、４層に限らず、任意の数の層にすることができる。
【００３０】
また、このような多層構造を有するＦＰＣ基板２０３によれば、第１層Ｌ１〜第４層Ｌ４の各層に、回路部３０１と異なる機能ブロックとを各々接続する信号線を設けることができる。これにより、複数の機能ブロックと接続される複数の信号線と第１のダミー線３０３とを１つの配線群としてグループ化して、断線の検出及び警告を行うことができる。
【００３１】
なお、第２のダミー線３０５は、図４と同一構成により形成するので、その説明を省略する。
【００３２】
以上で、携帯端末装置１００の構成の説明を終える。
【００３３】
次に、ＦＰＣ基板２０３における断線を検出する方法について、図３を用いて説明する。
【００３４】
回路部３０１は、第１のダミー線３０３及び第２のダミー線３０５に対して、定電流源から一定の電流を供給する。そして、回路部３０１は、第１のダミー線３０３及び第２のダミー線３０５の電圧を監視し、電圧変化を検出する。この際、回路部３０１は、例えば、検出した電圧値をアナログ／ディジタル変換し、変換後の電圧値と閾値とを比較することにより、電圧変化を検出する。電圧変化の検出は、上記の方法に限らず、種々の方法を採用することができる。例えば、回路部３０１がアナログ／ディジタル変換機能を有する場合には、抵抗３０６及び抵抗３０７を削除して、回路部３０１が第１のダミー線３０３及び第２のダミー線３０５にバイアス印加して電圧変化を検出するようにしてもよい。
【００３５】
第１のダミー線３０３及び第２のダミー線３０５が断線していない正常な状態においては、回路部３０１により検出される第１のダミー線３０３及び第２のダミー線３０５の電圧は一定の規定範囲内である。
【００３６】
この状態において、第１のダミー線３０３に断線が生じた場合には、回路部３０１により検出される第１のダミー線３０３の電圧は規定範囲外になる。従って、回路部３０１は、第１のダミー線３０３の電圧が規定範囲外になったことを検出することにより、第１のダミー線３０３の断線を検出する。
【００３７】
同様に、第２のダミー線３０５に断線が生じた場合には、回路部３０１により検出される第２のダミー線３０５の電圧は規定範囲外になる。従って、回路部３０１は、第２のダミー線３０５の電圧が規定範囲外になったことを検出することにより、第２のダミー線３０５の断線を検出する。
【００３８】
携帯端末装置１００は、回路部３０１により第１のダミー線３０３の断線を検出した場合には、第１の信号線３０２の断線の恐れがあることを、表示部１２０に表示等することにより警告する。また、携帯端末装置１００は、回路部３０１により第２のダミー線３０５の断線を検出した場合には、第２の信号線３０４の断線の恐れがあることを、表示部１２０に表示等することにより警告する。また、この際、携帯端末装置１００は、機能ブロック毎に異なる警告表示を行うことができる。これにより、ユーザは、断線の恐れが強い箇所を瞬時に把握することができる。
【００３９】
ここで、ＦＰＣ基板２０３の外側の方が内側よりも第１の筐体１０１と第２の筐体１０２との開閉動作に伴う応力が加わりやすい。従って、通常、第１の信号線３０２よりは第１のダミー線３０３の方が断線し易い。同様に、通常、第２の信号線３０４よりは第２のダミー線３０５の方が断線し易い。従って、第１のダミー線３０３の断線を検出した際または第２のダミー線３０５の断線を検出した際に警告することにより、ユーザは、第１の信号線３０２または第２の信号線３０４が断線する前に、修理する等の事前の対策を取ることができる。
【００４０】
また、本実施の形態において、第１のダミー線３０３及び第２のダミー線３０５を、各々２本ずつ配置することができる。この場合、第１のダミー線３０３及び第２のダミー線３０５の各々において、外側のダミー線を警告表示用とし、内側のダミー線を電源停止用とすることができる。この場合、外側のダミー線のみが断線した場合には警告を発し、外側のダミー線の断線に加えて、内側のダミー線が断線した場合に電源の供給を停止することができる。これにより、機能ブロック毎に警告及び電源の供給を停止することができる。例えば、カメラの機能ブロックの信号線が断線する恐れがある場合に、カメラの機能ブロックに対する電源の供給を停止する一方、電話の機能ブロックに対する電源の供給を継続することが可能である。この結果、携帯端末装置１００は、カメラ機能は使用できないが、通話機能は継続して使用することができる。
【００４１】
このように、本実施の形態によれば、複数の機能ブロック毎に断線を検出することができるとともに、回路構成を簡単にすることができ、断線の検知処理に伴う処理負荷を抑制することができる。また、本実施の形態によれば、第１の回路基板と第２の回路基板とをＦＰＣ基板により接続するので、同軸線を使用する場合に比べて、製造コストを低減することができる。また、本実施の形態によれば、ダミー線の断線を検出した際に警告することにより、信号線が断線する前に修理を行うこと等が可能になり、信号線の断線により突然使用できなくなる状態を回避することができる。
【００４２】
なお、本実施の形態において、信号線を２つにしたが、信号線の数は携帯端末装置に搭載する機能ブロックの数に応じて任意の数にすることができる。また、本実施の形態において、１本の信号線と１本のダミー線とを対応付けて配置したが、本実施の形態はこれに限らず、複数本数の信号線と１本のダミー線とを対応付けて配置してもよいし、１本の信号線と複数本数のダミー線とを対応付けて配置してもよい。
【００４３】
（実施の形態２）
図５は、本発明の実施の形態２に係る携帯端末装置１００の要部の平面図である。
【００４４】
図５に示す携帯端末装置１００は、図３に示す実施の形態１に係る携帯端末装置１００に対して、第１の信号線３０２と、第１のダミー線３０３と、第２の信号線３０４と、第２のダミー線３０５と、抵抗３０６と、抵抗３０７とを除き、第１の信号線５０２と、第１のダミー線５０３と、第２の信号線５０４と、第２のダミー線５０５と、第３の信号線５０６と、第３のダミー線５０７と、抵抗５０８と、抵抗５０９と、抵抗５１０とを追加し、回路部３０１の代わりに回路部５０１を有する。なお、図５において、図３と同一構成である部分には同一の符号を付してその説明を省略する。また、本実施の形態において、携帯端末装置１００の開いた状態の斜視図は図１と同一であり、携帯端末装置１００の開いた状態の平面図は図２と同一であるので、その説明を省略する。また、本実施の形態において、ＦＰＣ基板の構成は図４と同一であるので、その説明を省略する。
【００４５】
第１の回路基板２０１は、回路部５０１を有する。また、第１の回路基板２０１は、第１の信号線５０２と、第１のダミー線５０３とが印刷形成される。また、第１の回路基板２０１は、第２の信号線５０４と、第２のダミー線５０５とが印刷形成される。また、第１の回路基板２０１は、第３の信号線５０６と、第３のダミー線５０７とが印刷形成される。また、第１の回路基板２０１は、抵抗５０８と、抵抗５０９と、抵抗５１０とを有する。なお、第１の信号線５０２と、第１のダミー線５０３と、第２の信号線５０４と、第２のダミー線５０５と、第３の信号線５０６と、第３のダミー線５０７とは、印刷形成する場合に限らず、第１の回路基板２０１と別体に形成してもよいし、任意の方法により形成することができる。
【００４６】
第２の回路基板２０２は、第１の信号線５０２と、第１のダミー線５０３とが印刷形成される。また、第２の回路基板２０２は、第２の信号線５０４と、第２のダミー線５０５とが印刷形成される。また、第２の回路基板２０２は、第３の信号線５０６と、第３のダミー線５０７とが印刷形成される。また、第２の回路基板２０２は、図示しない複数の異なる機能ブロックを有する。なお、第１の信号線５０２と、第１のダミー線５０３と、第２の信号線５０４と、第２のダミー線５０５と、第３の信号線５０６と、第３のダミー線５０７とは、印刷形成する場合に限らず、第２の回路基板２０２と別体に形成してもよいし、任意の方法により形成することができる。
【００４７】
ＦＰＣ基板２０３は、可撓性を有する材料により形成される。また、ＦＰＣ基板２０３は、第１の信号線５０２と、第１のダミー線５０３と、第２の信号線５０４と、第２のダミー線５０５と、第３の信号線５０６と、第３のダミー線５０７とが形成される。また、ＦＰＣ基板２０３は、第１の信号線５０２と、第１のダミー線５０３と、第２の信号線５０４と、第２のダミー線５０５と、第３の信号線５０６と、第３のダミー線５０７とを、互いに絶縁するとともに外部から絶縁する絶縁部が設けられる。
【００４８】
回路部５０１は、第１の信号線５０２と、第１のダミー線５０３と、第２の信号線５０４と、第２のダミー線５０５と、第３の信号線５０６と、第３のダミー線５０７とに電気的に接続する。また、回路部５０１は、第１の信号線５０２と、第２の信号線５０４と、第３の信号線５０６との接続先の機能ブロックに電源を供給する。また、回路部５０１は、第１の信号線５０２と、第２の信号線５０４と、第３の信号線５０６との接続先の機能ブロックの動作を制御するための制御信号を第１の信号線５０２と、第２の信号線５０４と、第３の信号線５０６に出力する。また、回路部５０１は、第１のダミー線５０３と、第２のダミー線５０５と、第３のダミー線５０７とに一定の電流を供給する定電流源を有する。また、回路部５０１は、第１のダミー線５０３と、第２のダミー線５０５と、第３のダミー線５０７の断線を検出する。なお、断線を検出する方法については後述する。
【００４９】
第１の信号線５０２は、回路部５０１と第２の筐体１０２に設けた図示しない機能ブロックとを接続する。また、第１の信号線５０２は、第１の回路基板２０１において印刷形成され、ヒンジ部１０３においてＦＰＣ基板２０３に形成されるとともに、第２の回路基板２０２において印刷形成される。また、第１の信号線５０２は、第１の回路基板２０１と、ＦＰＣ基板２０３と、第２の回路基板２０２とにおいて、連続する１本の信号線として形成される。
【００５０】
第１のダミー線５０３は、一端が回路部５０１と電気的に接続する。また、第１のダミー線５０３は、回路部５０１と接続する一端から第２の筐体１０２方向に延設されるとともに、第１の回路基板２０１と第２の回路基板２０２との間を往復して、他端が抵抗５１０を介して第１の回路基板２０１のグランド部に接地される。また、第１のダミー線５０３は、第１の信号線５０２の左右外側に設けられる。ここで、第１の信号線５０２の左右外側とは、図５において第１の信号線５０２の上側と下側を意味する。また、第１のダミー線５０３は、第２の回路基板２０２において折り返し部５０３ａを有する。また、第１のダミー線５０３は、第１の回路基板２０１と、ＦＰＣ基板２０３と、第２の回路基板２０２とにおいて、連続する１本のダミー線として形成される。
【００５１】
第２の信号線５０４は、回路部５０１と第２の筐体１０２に設けた図示しない機能ブロックとを接続する。また、第２の信号線５０４は、第１の回路基板２０１において印刷形成され、ヒンジ部１０３においてＦＰＣ基板２０３に形成されるとともに、第２の回路基板２０２において印刷形成される。また、第２の信号線５０４は、第１の回路基板２０１と、ＦＰＣ基板２０３と、第２の回路基板２０２とにおいて、連続する１本の信号線として形成される。
【００５２】
第２のダミー線５０５は、一端が回路部５０１と電気的に接続する。また、第２のダミー線５０５は、回路部５０１と接続する一端から第２の筐体１０２方向に延設されるとともに、第１の回路基板２０１と第２の回路基板２０２との間を往復して、他端が抵抗５０９を介して第１の回路基板２０１のグランド部に接地される。また、第２のダミー線５０５は、第２の信号線５０４の左右外側に設けられる。ここで、第２の信号線５０４の左右外側とは、図５において第２の信号線５０４の上側と下側を意味する。また、第２のダミー線５０５は、第２の回路基板２０２において折り返し部５０５ａを有する。また、第２のダミー線５０５は、第１の回路基板２０１と、ＦＰＣ基板２０３と、第２の回路基板２０２とにおいて、連続する１本のダミー線として形成される。また、第２のダミー線５０５は、第１のダミー線５０３よりも内側に配置される。
【００５３】
第３の信号線５０６は、回路部５０１と第２の筐体１０２に設けた図示しない機能ブロックとを接続する。また、第３の信号線５０６は、第１の回路基板２０１において印刷形成され、ヒンジ部１０３においてＦＰＣ基板２０３に形成されるとともに、第２の回路基板２０２において印刷形成される。また、第３の信号線５０６は、第１の回路基板２０１と、ＦＰＣ基板２０３と、第２の回路基板２０２とにおいて、連続する１本の信号線として形成される。
【００５４】
第３のダミー線５０７は、一端が回路部５０１と電気的に接続する。また、第３のダミー線５０７は、回路部５０１と接続する一端から第２の筐体１０２方向に延設されるとともに、第１の回路基板２０１と第２の回路基板２０２との間を往復して、他端が抵抗５０８を介して第１の回路基板２０１のグランド部に接地される。また、第３のダミー線５０７は、第３の信号線５０６の左右外側に設けられる。ここで、第３の信号線５０６の左右外側とは、図５において第３の信号線５０６の上側と下側を意味する。また、第３のダミー線５０７は、第２の回路基板２０２において折り返し部５０７ａを有する。また、第３のダミー線５０７は、第１の回路基板２０１と、ＦＰＣ基板２０３と、第２の回路基板２０２とにおいて、連続する１本のダミー線として形成される。また、第３のダミー線５０７は、第１のダミー線５０３及び第２のダミー線５０５よりも内側に配置される。
【００５５】
次に、ＦＰＣ基板２０３における断線を検出する方法について、図５を用いて説明する。
【００５６】
回路部５０１は、第１のダミー線５０３と、第２のダミー線５０５と、第３のダミー線５０７とに対して、定電流源から一定の電流を供給する。そして、回路部５０１は、第１のダミー線５０３と、第２のダミー線５０５と、第３のダミー線５０７との電圧を監視し、電圧変化を検出する。この際、回路部５０１は、例えば、検出した電圧値をアナログ／ディジタル変換し、変換後の電圧値と閾値とを比較することにより、電圧変化を検出する。電圧変化の検出は、上記の方法に限らず、種々の方法を採用することができる。例えば、回路部５０１がアナログ／ディジタル変換機能を有する場合には、抵抗５０８、抵抗５０９及び抵抗５１０を削除して、回路部５０１が第１のダミー線５０３、第２のダミー線５０５及び第３のダミー線５０７にバイアス印加して電圧変化を検出するようにしてもよい。
【００５７】
第１のダミー線５０３と、第２のダミー線５０５と、第３のダミー線５０７との何れも断線していない正常な状態においては、回路部５０１により検出される第１のダミー線５０３と、第２のダミー線５０５と、第３のダミー線５０７の電圧は一定の規定範囲内である。
【００５８】
この状態において、第１のダミー線５０３に断線が生じた場合には、回路部５０１により検出される第１のダミー線５０３の電圧は規定範囲外になる。従って、回路部５０１は、第１のダミー線５０３の電圧が規定範囲外になったことを検出することにより、第１のダミー線５０３の断線を検出する。
【００５９】
同様に、第２のダミー線５０５に断線が生じた場合には、回路部５０１により検出される第２のダミー線５０５の電圧は規定範囲外になる。従って、回路部５０１は、第２のダミー線５０５の電圧が規定範囲外になったことを検出することにより、第２のダミー線５０５の断線を検出する。
【００６０】
同様に、第３のダミー線５０７に断線が生じた場合には、回路部５０１により検出される第３のダミー線５０７の電圧は規定範囲外になる。従って、回路部５０１は、第３のダミー線５０７の電圧が規定範囲外になったことを検出することにより、第３のダミー線５０７の断線を検出する。
【００６１】
携帯端末装置１００は、回路部５０１により第１のダミー線５０３の断線を検出し、かつ第２のダミー線の断線を検出しない場合、第１の信号線５０２のみに断線の恐れがあることを、表示部１２０に表示等することにより警告する。また、携帯端末装置１００は、回路部５０１により第２のダミー線５０５の断線を検出した場合、第１の信号線５０２は断線したものと判断し、第２の信号線５０４の断線の恐れがあることを、表示部１２０に表示等することにより警告する。また、携帯端末装置１００は、回路部５０１により第３のダミー線５０７の断線を検出した場合、第１の信号線５０２及び第２の信号線５０４は断線したものと判断し、第３の信号線５０６の断線の恐れがあることを、表示部２０２に表示等することにより警告する。また、この際、携帯端末装置１００は、機能ブロック毎に異なる警告表示を行うことができる。これにより、ユーザは、断線の恐れが強い箇所を瞬時に把握することができる。
【００６２】
ここで、ＦＰＣ基板２０３の外側の方が内側よりも第１の筐体１０１と第２の筐体１０２との開閉動作に伴う応力が加わりやすい。従って、通常、第１の信号線５０２よりは第１のダミー線５０３の方が断線し易い。同様に、通常、第２の信号線５０４よりは第２のダミー線５０５の方が断線し易い。同様に、通常、第３の信号線５０６よりは第３のダミー線５０７の方が断線し易い。従って、第１のダミー線５０３の断線を検出した際、第２のダミー線５０５の断線を検出した際、または第３のダミー線５０７の断線を検出した際に警告することにより、ユーザは、第１の信号線５０２、第２の信号線５０４または第３の信号線５０６が断線する前に、修理する等の事前の対策を取ることができる。
【００６３】
また、図５において、第１の信号線５０２に接続される機能ブロックよりも第２の信号線５０４に接続される機能ブロックの方が使用頻度の多い機能ブロック、即ち重要度の高い機能ブロックにする。例えば、第１の信号線５０２と接続する機能ブロックをカメラまたはＩｒＤＡとし、第２の信号線５０４と接続する機能ブロックを表示部１２０及び表示部１２０を制御する制御回路にする。これにより、重要度の高い機能ブロックほど断線による故障を少なくすることができる。
【００６４】
同様に、図５において、第２の信号線５０４に接続される機能ブロックよりも第３の信号線５０６に接続される機能ブロックの方が使用頻度の多い機能ブロック、即ち重要度の高い機能ブロックにする。例えば、第２の信号線５０４と接続する機能ブロックを表示部２０２及び表示部２０２を制御する制御回路とし、第３の信号線５０６と接続する機能ブロックを電話の通話機能を制御する制御回路にする。これにより、重要度の高い機能ブロックほど断線による故障を少なくすることができる。
【００６５】
また、本実施の形態において、第１のダミー線５０３と、第２のダミー線５０５と、第３のダミー線５０７とを、各々２本ずつ配置することができる。この場合、第１のダミー線５０３と、第２のダミー線５０５と、第３のダミー線５０７との各々において、外側のダミー線を断線検出用とし、内側のダミー線を電源停止用とすることができる。例えば、第２のダミー線５０５の断線を検出した場合、第１の信号線５０２と接続する機能ブロックへの電源の供給停止と、第２の信号線５０４の断線の恐れがあることの警告とを行う。また、第３のダミー線５０７の断線を検出した場合、第１の信号線５０２と接続する機能ブロック及び第２の信号線５０４と接続する機能ブロックへの電源の供給停止と、第３の信号線５０６の断線の恐れがあることの警告とを行う。
【００６６】
このように、本実施の形態によれば、上記の実施の形態１の効果に加えて、重要度の高い機能ブロックの信号線及びそのダミー線ほどＦＰＣ基板の内側に配置することにより、重要度の高い機能ブロックの信号線の断線を少なくすることができる。
【００６７】
なお、本実施の形態において、使用頻度に応じて重要度の高い機能ブロックを選択したが、本実施の形態はこれに限らず、ユーザのマニュアル設定等により重要度の高い機能ブロックを選択してもよく、重要度の高い機能ブロックを任意に選択することができる。また、本実施の形態において、信号線を２本にしたが、信号線の数は携帯端末装置に搭載する機能ブロックの数に応じて任意の数にすることができる。また、本実施の形態において、１本信号線と１本ダミー線とを対応付けて配置したが、本実施の形態はこれに限らず、複数本数の信号線と１本のダミー線とを対応付けて配置してもよいし、１本の信号線と複数本数のダミー線とを対応付けて配置してもよい。
【００６８】
（実施の形態３）
図６は、本発明の実施の形態３に係る携帯端末装置１００の要部の平面図である。
【００６９】
図６に示す携帯端末装置１００は、図３に示す実施の形態１に係る携帯端末装置１００に対して、第１の信号線３０２と、第１のダミー線３０３と、第２の信号線３０４と、第２のダミー線３０５と、抵抗３０６と、抵抗３０７とを除き、信号線６０２と、第１のダミー線６０３と、第２のダミー線６０４と、抵抗６０５とを追加し、回路部３０１の代わりに回路部６０１を有する。なお、図６において、図３と同一構成である部分には同一の符号を付してその説明を省略する。また、本実施の形態において、携帯端末装置１００の開いた状態の斜視図は図１と同一であり、携帯端末装置１００の開いた状態の平面図は図２と同一であるので、その説明を省略する。また、本実施の形態において、ＦＰＣ基板の構成は図４と同一であるので、その説明を省略する。
【００７０】
第１の回路基板２０１は、回路部６０１を有する。また、第１の回路基板２０１は、信号線６０２と、第１のダミー線６０３と、第２のダミー線６０４とが印刷形成される。また、第１の回路基板２０１は、抵抗６０５を有する。なお、信号線６０２と、第１のダミー線６０３と、第２のダミー線６０４とは、印刷形成する場合に限らず、第１の回路基板２０１と別体に形成してもよいし、任意の方法により形成することができる。
【００７１】
第２の回路基板２０２は、信号線６０２が印刷形成される。また、第２の回路基板２０２は、第１のダミー線６０３及び第２のダミー線６０４が印刷形成される。また、第２の回路基板２０２は、図示しない機能ブロックを有する。なお、信号線６０２と、第１のダミー線６０３と、第２のダミー線６０４とは、印刷形成する場合に限らず、第２の回路基板２０２と別体に形成してもよいし、任意の方法により形成することができる。
【００７２】
ＦＰＣ基板２０３は、可撓性を有する材料により形成される。また、ＦＰＣ基板２０３は、信号線６０２と、第１のダミー線６０３と、第２のダミー線６０４とが形成される。また、ＦＰＣ基板２０３は、信号線６０２と、第１のダミー線６０３と、第２のダミー線６０４とを、互いに絶縁するとともに外部から絶縁する絶縁部が設けられる。
【００７３】
回路部６０１は、信号線６０２と、第１のダミー線６０３と、第２のダミー線６０４とに電気的に接続する。また、回路部６０１は、信号線６０２の接続先の機能ブロックに電源を供給する。また、回路部６０１は、信号線６０２の接続先の機能ブロックの動作を制御するための制御信号を信号線６０２に出力する。また、回路部６０１は、第１のダミー線６０３及び第２のダミー線６０４に一定の電流を供給する定電流源を有する。また、回路部６０１は、第１のダミー線６０３及び第２のダミー線６０４の断線を検出する。なお、断線を検出する方法については後述する。
【００７４】
信号線６０２は、回路部６０１と第２の筐体１０２に設けた図示しないデバイスとを接続する。また、信号線６０２は、第１の回路基板２０１において印刷形成され、ヒンジ部１０３においてＦＰＣ基板２０３に形成されるとともに、第２の回路基板２０２において印刷形成される。また、信号線６０２は、第１の回路基板２０１と、ＦＰＣ基板２０３と、第２の回路基板２０２とにおいて、連続する１本の信号線として形成される。
【００７５】
第１のダミー線６０３は、一端が回路部６０１と電気的に接続する。また、第１のダミー線６０３は、回路部６０１と接続する一端から第２の筐体１０２方向に延設されるとともに、第１の回路基板２０１と第２の回路基板２０２との間を往復して、他端が抵抗６０５を介して第１の回路基板２０１のグランド部に接地される。また、第１のダミー線６０３は、信号線６０２及び第２のダミー線６０４の左右外側に設けられる。ここで、信号線６０２の左右外側とは、図６において信号線６０２の上側と下側を意味する。また、第２のダミー線６０４の左右外側とは、図６において第２のダミー線６０４の上側と下側を意味する。また、第１のダミー線６０３は、第２の回路基板２０２において折り返し部６０３ａを有する。また、第１のダミー線６０３は、第１の回路基板２０１と、ＦＰＣ基板２０３と、第２の回路基板２０２とにおいて、連続する１本のダミー線として形成される。
【００７６】
第２のダミー線６０４は、一端が回路部６０１と電気的に接続する。また、第２のダミー線６０４は、回路部６０１と接続する一端から第２の筐体１０２方向に延設されるとともに、第１の回路基板２０１と第２の回路基板２０２との間を往復して、他端が抵抗６０５を介して第１の回路基板２０１のグランド部に接地される。また、第２のダミー線６０４は、信号線６０２の左右外側に設けられる。また、第２のダミー線６０４は、第２の回路基板２０２において折り返し部６０４ａを有する。また、第２のダミー線６０４は、第１の回路基板２０１と、ＦＰＣ基板２０３と、第２の回路基板２０２とにおいて、連続する１本のダミー線として形成される。
【００７７】
次に、ＦＰＣ基板２０３における断線を検出する方法について、図６を用いて説明する。
【００７８】
回路部６０１は、第１のダミー線６０３及び第２のダミー線６０４に対して、定電流源から一定の電流を供給する。そして、回路部６０１は、第１のダミー線６０３及び第２のダミー線６０４の電圧を監視し、電圧変化を検出する。この際、回路部６０１は、例えば、検出した電圧値をアナログ／ディジタル変換し、変換後の電圧値と閾値とを比較することにより、電圧変化を検出する。電圧変化の検出は、上記の方法に限らず、種々の方法を採用することができる。例えば、回路部６０１がアナログ／ディジタル変換機能を有する場合には、抵抗６０５を削除して、回路部６０１が第１のダミー線６０３及び第２のダミー線６０４にバイアス印加して電圧変化を検出するようにしてもよい。
【００７９】
第１のダミー線６０３及び第２のダミー線６０４が断線していない正常な状態においては、回路部６０１により検出される第１のダミー線６０３及び第２のダミー線６０４の電圧は一定の規定範囲内である。
【００８０】
この状態において、第１のダミー線６０３に断線が生じた場合には、回路部６０１により検出される第１のダミー線６０３の電圧は規定範囲外になる。従って、回路部６０１は、第１のダミー線６０３の電圧が規定範囲外になったことを検出することにより、第１のダミー線６０３の断線を検出する。
【００８１】
同様に、第２のダミー線６０４に断線が生じた場合には、回路部６０１により検出される第２のダミー線６０４の電圧は規定範囲外になる。従って、回路部６０１は、第２のダミー線６０４の電圧が規定範囲外になったことを検出することにより、第２のダミー線６０４の断線を検出する。
【００８２】
携帯端末装置１００は、回路部６０１により第１のダミー線６０３の断線を検出した場合には、信号線６０２の断線の恐れがあることを、表示部１２０に表示等することにより警告する。また、携帯端末装置１００は、回路部６０１により第２のダミー線６０４の断線を検出した場合には、回路部６０１による信号線６０２に対する電源の供給を停止する。これにより、信号線６０２に接続している機能ブロックに対する電源の供給を停止することができる。
【００８３】
ここで、ＦＰＣ基板２０３の外側の方が内側よりも第１の筐体１０１と第２の筐体１０２との開閉動作に伴う応力が加わりやすい。従って、通常、信号線６０２よりは第２のダミー線６０４の方が断線し易い。同様に、通常、第２のダミー線６０４よりは第１のダミー線６０３の方が断線し易い。従って、第１のダミー線６０３の断線を検出した際に警告するので、第２のダミー線６０４の断線により、信号線６０２と接続する機能ブロックへの電源の供給が停止する前に、修理する等の事前の対策を取ることができる。また、第２のダミー線６０４の断線を検出した際に信号線６０２による電源の供給を停止することにより、故障または動作不良の状態で携帯端末装置１００を使用し続けることを防ぐことができる。
【００８４】
このように、本実施の形態によれば、本実施の形態によれば、ダミー線の断線を検出した際に警告することにより、信号線が断線する前に修理を行うこと等が可能になり、信号線の断線により突然使用できなくなる状態を回避することができる。また、本実施の形態によれば、第１の回路基板と第２の回路基板とをＦＰＣ基板により接続するので、同軸線を使用する場合に比べて、製造コストを低減することができる。
【００８５】
なお、本実施の形態において、信号線を１つにしたが、信号線の数は携帯端末装置に搭載するデバイスの数に応じて任意の数にすることができる。また、本実施の形態において、１本の信号線と２本のダミー線とを対応付けて配置したが、本実施の形態はこれに限らず、複数本数の信号線と２本のダミー線とを対応付けて配置してもよいし、１本の信号線と３本以上の本数のダミー線とを対応付けて配置してもよい。
【００８６】
上記の実施の形態１〜実施の形態３において、ダミー線を第２の回路基板を経由して形成したが、本発明はこれに限らず、ヒンジ部を経由すれば、必ずしも第２の回路基板を経由しなくてもよい。即ち、筐体の開閉に伴うＦＰＣ基板における信号線の断線の危険性を検出することができれば、ダミー線を任意に配線することができる。また、上記の実施の形態１〜実施の形態３において、ＦＰＣ基板を多層構造にしたが、本発明はこれに限らず、ＦＰＣ基板を１層構造にしても良い。また、上記の実施の形態１〜実施の形態３において、表示部による表示により断線の警告を行ったが、本発明はこれに限らず、振動または音声等の任意の報知手段を用いて断線の警告を行うことができる。また、上記の実施の形態１〜実施の形態３において、断線を検出する回路部を第１の回路基板に設けたが、本発明はこれに限らず、断線を検出する回路部を第２の回路基板に設けても良い。
【産業上の利用可能性】
【００８７】
本発明は、例えば折り畳み式の筐体に設けられる基板及びこれを有する携帯端末装置に好適である。
【符号の説明】
【００８８】
２０１  第１の回路基板
２０２  第２の回路基板
２０３  ＦＰＣ基板
３０１  回路部
３０２  第１の信号線
３０３  第１のダミー線
３０４  第２の信号線
３０５  第２のダミー線
３０６、３０７  抵抗
【図１】
0005395640.tif 000002
【図２】
0005395640.tif 000003
【図３】
0005395640.tif 000004
【図４】
0005395640.tif 000005
【図５】
0005395640.tif 000006
【図６】
0005395640.tif 000007